(57)【要約】【課題】貨幣管理システムにおいて、出納機から両替機に貨幣を補充する際に補充量の誤りを防止する。【解決手段】貨幣管理システムは、貨幣を両替する両替機と；両替機に補充すべき貨幣を出金するとともに両替機から回収される貨幣を入金する出納機と；両替機と出納機との間を通信可能に接続するネットワークとを備える。両替機は、貨幣を収納する第１の収納部と；第１の収納部に収納されている貨幣の残量に基づいて、第１の収納部への補充に必要とされる貨幣の必要量を算出する必要量算出部と；必要量を示す情報を、ネットワークを介して前記出納機に送信する情報送信部とを含む。【選択図】図１
2016024748.tif 000002
【特許請求の範囲】
【請求項１】
貨幣を両替する両替機と、
前記両替機に補充すべき貨幣を出金するとともに前記両替機から回収される貨幣を入金する出納機と、
前記両替機と前記出納機との間を通信可能に接続するネットワークと
を備え、
前記両替機は、
貨幣を収納する第１の収納部と、
前記第１の収納部に収納されている貨幣の残量に基づいて、前記第１の収納部への補充に必要とされる貨幣の必要量を算出する必要量算出部と、
前記必要量を示す情報を、前記ネットワークを介して前記出納機に送信する情報送信部と
を含む、貨幣管理システム。
【請求項２】
請求項１に記載の貨幣管理システムであって、
前記出納機は、
貨幣を収納する第２の収納部と、
前記両替機から前記情報を受信する情報受信部と、
前記情報受信部によって受信された前記情報が示す前記必要量に応じて、前記第２の収納部に収納されている前記貨幣を、前記両替機に補充すべき貨幣として出金する補充出金部と
を含む、貨幣管理システム。
【請求項３】
請求項２に記載の貨幣管理システムであって、
前記出納機は、更に、
前記両替機が保有する貨幣の保有量を管理する管理情報を記憶する記憶部と、
前記補充出金部によって出金される前記貨幣の出金量に応じて、前記管理情報を更新する更新部と
を含む、貨幣管理システム。
【請求項４】
前記両替機の前記必要量算出部は、貨幣の種類ごとに、前記第１の収納部への補充に必要とされる貨幣の必要量を算出する、請求項１から請求項３までのいずれか一項に記載の貨幣管理システム。
【請求項５】
前記両替機の前記必要量算出部は、前記両替機の運用を開始する際に前記第１の収納部に収納されている貨幣の残量と、前記両替機の運用を終了する際に前記第１の収納部に収納されている貨幣の残量との差分に基づいて、前記第１の収納部への補充に必要とされる貨幣の必要量を算出する、請求項１から請求項４までのいずれか一項に記載の貨幣管理システム。
【請求項６】
前記両替機の前記必要量算出部は、前記両替機の運用を終了する際に前記第１の収納部に収納されている貨幣の残量と、基準値との差分に基づいて、前記第１の収納部への補充に必要とされる貨幣の必要量を算出する、請求項１から請求項４までのいずれか一項に記載の貨幣管理システム。
【請求項７】
前記両替機は、更に、前記貨幣管理システムの管理者から前記基準値の設定を受け付ける設定受付部を含む、請求項６に記載の貨幣管理システム。
【請求項８】
貨幣を収納する収納部と、
前記収納部に収納されている貨幣の残量に基づいて、前記収納部への補充に必要とされる貨幣の必要量を算出する必要量算出部と、
前記両替機に補充すべき貨幣を出金するとともに前記両替機から回収される貨幣を入金する出納機に対して、前記必要量を示す情報を、前記ネットワークを介して送信する情報送信部と
を備える両替機。
【請求項９】
貨幣を収納する収納部と、
貨幣を両替する両替機から、前記両替機への補充に必要とされる貨幣の必要量を示す情報を、受信する情報受信部と、
前記情報受信部によって受信された前記情報が示す前記必要量に応じて、前記収納部に収納されている前記貨幣を、前記両替機に補充すべき貨幣として出金する補充出金部と
を備える出納機。
【請求項１０】
請求項９に記載の出納機であって、更に、
前記両替機が保有する貨幣の保有量を管理する管理情報を記憶する記憶部と、
前記補充出金部によって出金される前記貨幣の出金量に応じて、前記管理情報を更新する更新部と
を備える出納機。
【発明の詳細な説明】
【技術分野】
【０００１】
本発明は、貨幣管理システム、両替機および出納機に関する。
【背景技術】
【０００２】
貨幣管理システムとして、両替機と出納機との間で貨幣をやり取りするシステムが知られている。両替機は、利用者の要求に応じて貨幣を両替する。両替機では、両替に伴って、金種ごとに貨幣の過不足が生じる。出納機は、両替機に補充すべき貨幣を出金するとともに、両替機から回収される貨幣を入金する。一般的に、両替機と出納機との間の貨幣のやり取りは、貨幣管理システムを管理するシステム管理者によって行われる。出納機から両替機に貨幣を補充する場合、システム管理者は、両替機に保有されている貨幣の保有量に基づいて、両替機に補充すべき貨幣の必要量を計算し、その必要量を出納機に手入力することによって出納機から貨幣を取り出した後、その貨幣を両替機に補充する。
【０００３】
特許文献１には、貨幣をやり取りする２つの装置の間をネットワークで通信可能に接続したシステムにおいて、一方の装置に保有されている貨幣の残高を他方の装置で管理することが記載されている。
【先行技術文献】
【特許文献】
【０００４】
【特許文献１】特開２０１１−５３９４９号公報
【発明の概要】
【発明が解決しようとする課題】
【０００５】
特許文献１のシステムでは、一方の装置から他方の装置に貨幣を補充する場合、システム管理者が、他方の装置に補充すべき貨幣の必要量を計算し、その必要量を一方の装置に手入力するため、必要量の計算および入力に誤りが生じる虞があるという課題があった。そのため、出納機から両替機に貨幣を補充する際に補充量の誤りを防止することが可能な技術が望まれていた。
【課題を解決するための手段】
【０００６】
上記課題を解決するために、本発明の貨幣管理システムは、貨幣を両替する両替機と；前記両替機に補充すべき貨幣を出金するとともに前記両替機から回収される貨幣を入金する出納機と；前記両替機と前記出納機との間を通信可能に接続するネットワークとを備え、前記両替機は、貨幣を収納する第１の収納部と；前記第１の収納部に収納されている貨幣の残量に基づいて、前記第１の収納部への補充に必要とされる貨幣の必要量を算出する必要量算出部と；前記必要量を示す情報を、前記ネットワークを介して前記出納機に送信する情報送信部とを含む。
【発明の効果】
【０００７】
本発明の貨幣管理システムによれば、両替機において貨幣の必要量を算出し、その必要量を両替機から出納機に対して送信できるため、出納機から両替機に貨幣を補充する際に補充量の誤りを防止できる。上記した以外の課題、構成及び効果は、以下の実施形態の説明により明らかにされる。
【図面の簡単な説明】
【０００８】
【図１】貨幣管理システムの構成を示す説明図である。
【図２】両替機の背面扉を開いた様子を示す説明図である。
【図３】両替機の構成を示す説明図である。
【図４】出納機の構成を示す説明図である。
【図５】両替機の制御部が実行する補充要求処理を示すフローチャートである。
【図６】送信確認画面の構成を示す説明図である。
【図７】出納機の制御部が実行する補充対応処理を示すフローチャートである。
【図８】第２実施形態における両替機の制御部が実行する補充要求処理を示すフローチャートである。
【図９】基準値を設定する入力画面の構成を示す説明図である。
【発明を実施するための形態】
【０００９】
Ａ．第１実施形態：
図１は、貨幣管理システム１０の構成を示す説明図である。貨幣管理システム１０は、貨幣を管理するシステムである。本実施形態では、貨幣管理システム１０は、金融機関（例えば、銀行、信用金庫など）の店舗１４に設置されたシステムである。
【００１０】
貨幣管理システム１０は、両替機１２と、ネットワーク２０と、出納機３０とを備える。本実施形態では、貨幣管理システム１０は、１つの出納機３０に接続された１つの両替機１２を備える。他の実施形態では、貨幣管理システム１０は、１つの出納機３０に接続された複数の両替機１２を備えてもよい。
【００１１】
貨幣管理システム１０のネットワーク２０は、両替機１２と出納機３０との間を通信可能に接続する。本実施形態では、ネットワーク２０は、ローカルエリアネットワークである。他の実施形態では、ネットワーク２０は、広域コンピュータネットワークであってもよい。
【００１２】
図２は、両替機１２の背面扉を開いた様子を示す説明図である。図３は、両替機１２の構成を示す説明図である。貨幣管理システム１０の両替機１２は、利用者との間で貨幣を両替する。両替機１２は、制御部１００と、収納部１５０と、ユーザインタフェース２００と、カード機構部２１０と、明細票機構部２２０と、紙幣入出金機構部２３０と、硬貨出金機構部２４０と、包装硬貨出金機構部２５０と、設定受付部２９０とを備える。
【００１３】
両替機１２の制御部１００は、両替機１２の各部を制御する。両替機１２の制御部１００は、必要量算出部１１０と、情報送信部１２０とを備える。本実施形態では、制御部１００における各部の機能は、コンピュータプログラムに基づいてＣＰＵ（Central Processing Unit）が動作することによってソフトウェア的に実現される。他の実施形態では、制御部１００の機能の少なくとも一部は、制御部１００が備える回路構成に基づいてハードウェア的に実現されてもよい。
【００１４】
制御部１００の必要量算出部１１０は、収納部１５０に収納されている貨幣の残量に基づいて、収納部１５０への補充に必要とされる貨幣の必要量を算出する。本実施形態では、必要量算出部１１０は、収納部１５０に収納された貨幣の残量の重さを検知する荷重センサから出力される信号によって、収納部１５０に収納された貨幣の残量を算出する。他の実施形態では、必要量算出部１１０は、収納部１５０に収納された貨幣の残量を計測する数量計測センサから出力される信号によって、収納部１５０に収納された貨幣の残量を算出してもよい。
【００１５】
本実施形態では、必要量算出部１１０は、貨幣の種類ごとに、収納部１５０への補充に必要とされる貨幣の必要量を算出する。本実施形態では、必要量算出部１１０は、両替機１２の運用を開始する際に収納部１５０に収納されている貨幣の残量と、両替機１２の運用を終了する際に収納部１５０に収納されている貨幣の残量との差分に基づいて、収納部１５０への補充に必要とされる貨幣の必要量を算出する。
【００１６】
両替機１２の情報送信部１２０は、収納部１５０への補充に必要とされる貨幣の必要量を示す情報を、ネットワーク２０を介して出納機３０に送信する。
【００１７】
両替機１２の収納部１５０は、貨幣を収納する。両替機１２の収納部１５０は、紙幣処理装置２６０と、硬貨処理装置２７０と、包装硬貨処理装置２８０とを備える。収納部１５０の紙幣処理装置２６０は、貨幣管理システム１０の管理者によって出し入れ可能に紙幣を収納する。収納部１５０の硬貨処理装置２７０は、貨幣管理システム１０の管理者によって出し入れ可能に硬貨を収納する。収納部１５０の包装硬貨処理装置２８０は、貨幣管理システム１０の管理者によって出し入れ可能に包装硬貨を収納する。
【００１８】
両替機１２のユーザインタフェース２００は、利用者との間で情報をやり取りする。本実施形態では、ユーザインタフェース２００は、画像を表示するとともに、その画像上で利用者から指示の入力を受け付けるタッチパネルである。他の実施形態では、ユーザインタフェース２００は、利用者から指示の入力を受け付ける押しボタンを備えてもよい。他の実施形態では、ユーザインタフェース２００は、音声に基づいて利用者から指示の入力を受け付けてもよい。
【００１９】
両替機１２のカード機構部２１０は、利用者を認証する情報が記録されたカードを取り扱う。両替機１２の明細票機構部２２０は、取引内容を印字した明細票を発行する。両替機１２の紙幣入出金機構部２３０は、紙幣の入金および出金を取り扱う。両替機１２の硬貨出金機構部２４０は、硬貨の出金を取り扱う。両替機１２の包装硬貨出金機構部２５０は、包装硬貨の出金を取り扱う。
【００２０】
両替機１２の設定受付部２９０は、収納部１５０に準備すべき貨幣の量を示す基準値の設定を、貨幣管理システム１０の管理者から、受け付ける。本実施形態では、設定受付部２９０は、タッチパネルである。他の実施形態では、設定受付部２９０は、押しボタンを備えてもよい。
【００２１】
図４は、出納機３０の構成を示す説明図である。貨幣管理システム１０の出納機３０は、両替機１２に補充すべき貨幣を出金するとともに、両替機１２から回収される貨幣を入金する。
【００２２】
出納機３０は、制御部３００と、収納部３５０と、ユーザインタフェース４１２と、カード機構部４１４と、明細票機構部４１６と、束紙幣入出金機構部４２０と、バラ紙幣入出金機構部４２２と、包装硬貨入出金機構部４２４と、バラ硬貨入出金機構部４２６と、記憶部４５０とを備える。
【００２３】
出納機３０の制御部３００は、出納機３０の各部を制御する。制御部３００は、補充出金部３１０と、更新部３２０と、情報受信部３３０とを備える。本実施形態では、制御部３００における各部の機能は、コンピュータプログラムに基づいてＣＰＵ（Central Processing Unit）が動作することによってソフトウェア的に実現される。他の実施形態では、制御部３００の機能の少なくとも一部は、制御部３００が備える回路構成に基づいてハードウェア的に実現されてもよい。
【００２４】
出納機３０の情報受信部３３０は、両替機１２から送信された情報として、両替機１２の収納部１５０への補充に必要とされる貨幣の必要量を示す情報を、受信する。
【００２５】
制御部３００の補充出金部３１０は、情報受信部３３０によって受信された情報が示す必要量に応じて、収納部３５０に収納されている貨幣を、両替機１２に補充すべき貨幣として出金する。本実施形態では、補充出金部３１０は、束紙幣入出金機構部４２０、バラ紙幣入出金機構部４２２、包装硬貨入出金機構部４２４、および、バラ硬貨入出金機構部４２６に指示することによって、両替機１２に補充すべき貨幣として出金する。
【００２６】
出納機３０の更新部３２０は、補充出金部３１０によって出金される貨幣の出金量に応じて、記憶部４５０に記憶されている管理情報を更新する。記憶部４５０の管理情報は、両替機１２が保有する貨幣の保有量を管理する情報である。本実施形態では、更新部３２０は、補充出金部３１０によって貨幣が出金されるごとに、記憶部４５０の管理情報を更新する。
【００２７】
出納機３０の記憶部４５０は、両替機１２が保有する貨幣の保有量を管理する管理情報を記憶する。本実施形態では、出納機３０の記憶部４５０は、貨幣の種類ごとに管理情報を記憶する。
【００２８】
出納機３０の収納部３５０は、貨幣を収納する。収納部３５０は、束紙幣処理装置４３０と、バラ紙幣処理装置４３２と、包装硬貨処理装置４３４と、バラ硬貨処理装置４３６とを備える。収納部３５０の束紙幣処理装置４３０は、束になった紙幣を収納する。収納部３５０のバラ紙幣処理装置４３２は、束になっていない紙幣を収納する。収納部３５０の包装硬貨処理装置４３４は、包装された硬貨を収納する。収納部３５０のバラ硬貨処理装置４３６は、包装されていない硬貨を収納する。本実施形態では、収納部３５０の各装置は、その装置に収納されている貨幣の荷重を検知する荷重センサを備える。
【００２９】
出納機３０のユーザインタフェース４１２は、貨幣管理システム１０の管理者との間で情報をやり取りする。出納機３０のカード機構部４１４は、貨幣管理システム１０の管理者を認証する情報が記録されたカードを取り扱う。出納機３０の明細票機構部４１６は、処理内容を印字した明細票を発行する。出納機３０の束紙幣入出金機構部４２０は、束になった紙幣の入金および出金を取り扱う。出納機３０のバラ紙幣入出金機構部４２２は、束になっていない幣の入金および出金を取り扱う。出納機３０の包装硬貨入出金機構部４２４は、包装された硬貨の入金および出金を取り扱う。出納機３０のバラ硬貨入出金機構部４２６は、包装されていない硬貨の入金および出金を取り扱う。
【００３０】
図５は、両替機１２の制御部１００が実行する補充要求処理を示すフローチャートである。本実施形態では、制御部１００は、両替機１２の運用を終了する際、図５の補充要求処理を開始する。
【００３１】
図５の補充要求処理を開始した後、制御部１００は、必要量算出部１１０として動作することによって、必要量算出処理（ステップＳ１００）を行う。必要量算出処理（ステップＳ１００）において、制御部１００は、両替機１２の運用を開始する際に収納部１５０に収納されている貨幣の残量と、両替機１２の運用を終了する際に収納部１５０に収納されている貨幣の残量との差分を、収納部１５０への補充に必要とされる貨幣の必要量として算出する。本実施形態では、制御部１００は、貨幣の必要量を貨幣の種類ごとに算出する。本実施形態では、制御部１００は、両替機１２の運用を開始する際に収納部１５０に収納されている貨幣の残量を検知し、その残量を示す情報を保持している。
【００３２】
必要量算出処理（ステップＳ１００）を行った後、制御部１００は、情報送信部１２０として動作することによって、情報送信処理（ステップＳ１０２）を行う。情報送信処理（ステップＳ１０２）において、制御部１００は、必要量算出処理（ステップＳ１００）で算出した貨幣の必要量を示す情報を、ネットワーク２０を介して出納機３０に送信する。
【００３３】
図６は、送信確認画面５００の構成を示す説明図である。送信確認画面５００は、情報送信処理（ステップＳ１０２）において制御部１００の指示に基づいてユーザインタフェース２００に表示される画面である。送信確認画面５００は、タイトル表示部５０２と、送信確認ボタン部５０４，５０６，５０８と、メッセージ表示部５１０とを備える。
【００３４】
タイトル表示部５０２は、貨幣管理システム１０の管理者に送信確認の画面であることを知らせるタイトルを表示する。送信確認ボタン部５０４，５０６，５０８は、管理者から送信確認の入力を受け付ける。メッセージ表示部５１０は、管理者に送信確認の入力を促すメッセージを表示する。
【００３５】
図５の説明に戻り、情報送信処理（ステップＳ１０２）を行った後、制御部１００は、図５の補充要求処理を終了する。
【００３６】
図７は、出納機３０の制御部３００が実行する補充対応処理を示すフローチャートである。本実施形態では、制御部３００は、両替機１２からネットワーク２０を介して貨幣の必要量を示す情報が出納機３０に到達した場合、図７の補充対応処理を開始する。
【００３７】
図７の補充対応処理を開始した後、制御部３００は、情報受信部３３０として動作することによって、情報受信処理（ステップＳ１０４）を行う。情報受信処理（ステップＳ１０４）において、制御部３００は、両替機１２から送信された情報として、両替機１２の収納部１５０への補充に必要とされる貨幣の必要量を示す情報を、受信する。
【００３８】
情報受信処理を行った後（ステップＳ１０４）、制御部３００は、補充出金部３１０として動作することによって、補充出金処理（ステップＳ１０６）を行う。補充出金処理（ステップＳ１０６）において、制御部３００は、情報受信処理（ステップＳ１０４）で受信された情報が示す必要量に応じて、収納部３５０に収納されている貨幣を、両替機１２に補充すべき貨幣として出金する。
【００３９】
補充出金処理（ステップＳ１０６）を行った後、制御部３００は、更新部３２０として動作することによって、更新処理（ステップＳ１０８）を行う。更新処理（ステップＳ１０８）において、制御部３００は、補充出金処理（ステップＳ１０６）で出金される貨幣の出金量に応じて、記憶部４５０に記憶されている管理情報を更新する。更新処理（ステップＳ１０８）を行った後、制御部３００は、図７の補充対応処理を終了する。
【００４０】
本実施形態では、貨幣管理システム１０の管理者は、情報受信処理（ステップＳ１０４）によって出金された貨幣を、両替機１２へと補充する。他の実施形態では、出納機３０から両替機１２へと貨幣を搬送する搬送機構を用いて、貨幣を出納機３０から両替機１２へと補充してもよい。
【００４１】
以上説明した第１実施形態によれば、両替機１２において貨幣の必要量を算出し、その必要量を両替機１２から出納機３０に対して送信できるため、出納機３０から両替機１２に貨幣を補充する際に補充量の誤りを防止できる。
【００４２】
また、両替機１２から受信した必要量に応じて、両替機１２に補充すべき貨幣を出納機３０から出金するため、両替機１２に補充すべき貨幣の量を誤りなく出納機３０から出金できる。
【００４３】
また、出納機３０から出金される貨幣の量に応じて、記憶部４５０の管理情報を更新するため、出納機３０において両替機１２の保有する貨幣の量を誤りなく管理できる。
【００４４】
また、両替機１２に補充すべき貨幣の量を貨幣の種類ごとに算出できるため、両替機１２に補充すべき貨幣の量を貨幣の種類ごとに誤りなく出納機３０から出金できる。
【００４５】
また、運用開始時の貨幣の残量と運用終了時の貨幣の残量との差分を、補充に必要とされる貨幣の必要量として算出するため、運用開始時の貨幣の残量を基準として出納機３０から出金できる。
【００４６】
Ｂ．第２実施形態：
第２実施形態における貨幣管理システム１０は、予め設定されている基準値に基づいて、両替機１２に補充すべき貨幣の必要量を算出する点を除き、第１実施形態と同様である。第２実施形態における貨幣管理システム１０の構成は、第１実施形態と同様である。第２実施形態における貨幣管理システム１０の動作は、両替機１２による補充要求処理が異なる点を除き、第１実施形態と同様である。
【００４７】
図８は、第２実施形態における両替機１２の制御部１００が実行する補充要求処理を示すフローチャートである。本実施形態では、制御部１００は、両替機１２の運用を終了する際、図８の補充要求処理を開始する。
【００４８】
図８の補充要求処理を開始した後、制御部３００は、必要量算出部１１０として動作することによって、必要量算出処理（ステップＳ２００）を行う。必要量算出処理（ステップＳ２００）において、制御部１００は、貨幣管理システム１０の管理者によって予め設定された基準値と、両替機１２の運用を終了する際に収納部１５０に収納されている貨幣の残量との差分を、収納部１５０への補充に必要とされる貨幣の必要量として算出する。
【００４９】
必要量算出処理（ステップＳ２００）を行った後、制御部１００は、第１実施形態と同様に、情報送信処理（ステップＳ１０２）を行う。その後、制御部１００は、図８の補充要求処理を終了する。
【００５０】
図９は、基準値を設定する入力画面７００の構成を示す説明図である。入力画面７００は、収納部１５０に準備すべき貨幣の量を示す基準値を貨幣管理システム１０の管理者によって設定する場合、両替機１２の制御部１００の指示に基づいて、設定受付部２９０に表示される画面である。入力画面７００は、タイトル表示部７０２と、数量表示部７０４と、数量入力部７０６と、実行確認部７０８，７１０と、メッセージ表示部７１２とを備える。
【００５１】
タイトル表示部７０２は、管理者に基準値の設定を入力する画面であることを知らせるタイトルを表示する。数量表示部７０４は、貨幣の種類ごとに、管理者が入力した基準値を表示する。数量入力部７０６は、基準値を設定する入力を管理者から受け付ける。実行確認部７０８，７１０は、基準値を確定する入力を管理者から受け付ける。メッセージ表示部７１２は、基準値を確定する入力を管理者に促すメッセージを表示する。
【００５２】
以上説明した第２実施形態によれば、第１実施形態と同様に、出納機３０から両替機１２に貨幣を補充する際に補充量の誤りを防止できる。また、第１実施形態と同様に、両替機１２に補充すべき貨幣の量を誤りなく出納機３０から出金できる。
【００５３】
また、収納部１５０に準備すべき貨幣の量を示す基準値と、運用終了時の貨幣の残量との差分を、補充に必要とされる貨幣の必要量として算出するため、収納部１５０に準備すべき貨幣の量を基準として出納機３０から出金できる。
【００５４】
Ｃ．その他の実施形態：
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや、組み合わせを行うことが可能である。また、その技術的特徴が本明細書中に必須なものとして説明されていなければ、適宜、削除することが可能である。
【符号の説明】
【００５５】
１０…貨幣管理システム
１２…両替機
１４…店舗
２０…ネットワーク
３０…出納機
１００…制御部
１１０…必要量算出部
１２０…情報送信部
１５０…収納部
２００…ユーザインタフェース
２１０…カード機構部
２２０…明細票機構部
２３０…紙幣入出金機構部
２４０…硬貨出金機構部
２５０…包装硬貨出金機構部
２６０…紙幣処理装置
２７０…硬貨処理装置
２８０…包装硬貨処理装置
２９０…設定受付部
３００…制御部
３１０…補充出金部
３２０…更新部
３３０…情報受信部
３５０…収納部
４１２…ユーザインタフェース
４１４…カード機構部
４１６…明細票機構部
４２０…束紙幣入出金機構部
４２２…バラ紙幣入出金機構部
４２４…包装硬貨入出金機構部
４２６…バラ硬貨入出金機構部
４３０…束紙幣処理装置
４３２…バラ紙幣処理装置
４３４…包装硬貨処理装置
４３６…バラ硬貨処理装置
４５０…記憶部
５００…送信確認画面
５０２…タイトル表示部
５０４…送信確認ボタン部
５１０…メッセージ表示部
７００…入力画面
７０２…タイトル表示部
７０４…数量表示部
７０６…数量入力部
７０８…実行確認部
７１２…メッセージ表示部
【図１】
2016024748.tif 000003
【図２】
2016024748.tif 000004
【図３】
2016024748.tif 000005
【図４】
2016024748.tif 000006
【図５】
2016024748.tif 000007
【図６】
2016024748.tif 000008
【図７】
2016024748.tif 000009
【図８】
2016024748.tif 000010
【図９】
2016024748.tif 000011